(57)【要約】【課題】導体線上に巻き付けたときにテープの浮き上がりが発生し難くなり、これにより実効透磁率の低下を抑制することができる磁性テープ及びシールドケーブルを提供する。【解決手段】シールドケーブル１は、導体線２の周囲を絶縁体３で被覆した絶縁電線４と、絶縁電線４の周囲に磁性テープ７０が巻かれて形成された磁性テープ層７とを備え、磁性テープ７０は、磁性材料からなる長尺状のシートを一定の幅で連続して切断して形成される磁性テープであって、長尺状のシートの切断の際に幅方向両端面に形成される一対のバリ７５ａ、７５ｂの少なくとも一方のバリ７５ｂを収容する溝７４を少なくとも絶縁電線４側に向く面７２に長手方向に沿って有する。【選択図】図３
2015129001.tif 000002
【特許請求の範囲】
【請求項１】
磁性材料からなる長尺状のシートを一定の幅で連続して切断して形成される磁性テープであって、
前記長尺状のシートの切断の際に幅方向両端面に形成される一対のバリの少なくとも一方のバリを収容する溝を少なくとも裏面に長手方向に沿って有する磁性テープ。
【請求項２】
裏面に樹脂層が形成された磁性材料からなる長尺状のシートを一定の幅で連続して切断して形成される磁性テープであって、
前記長尺状のシートの切断の際に幅方向両端面に形成される一対のバリの少なくとも一方のバリを収容する溝を少なくとも裏面に長手方向に沿って有する磁性テープ。
【請求項３】
前記磁性材料は、アモルファス合金である、請求項１又は２に記載の磁性テープ。
【請求項４】
前記磁性材料は、Ｆｅ、Ｓｉ、Ｂ、Ｃｕを含有し、さらにＴｉ、Ｖ、Ｚｒ、Ｎｂ、Ｍｏ、Ｈｆ、Ｔａ、Ｗから選ばれた少なくとも１種の元素を含有する非晶質合金にナノ結晶化の熱処理を施したナノ結晶軟磁性合金である、請求項１又は２に記載の磁性テープ。
【請求項５】
導体線の周囲を絶縁体で被覆した絶縁電線と、
前記絶縁電線の周囲に磁性テープが巻かれて形成された磁性テープ層とを備え、
前記磁性テープは、磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも前記絶縁電線側に向く面に長手方向に沿って有するシールドケーブル。
【請求項６】
導体線の周囲を絶縁体で被覆した絶縁電線と、
前記絶縁電線の周囲に磁性テープが巻かれて形成された磁性テープ層とを備え、
前記磁性テープは、前記絶縁電線側の面に樹脂層が形成された磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも前記絶縁電線側に向く面に長手方向に沿って有するシールドケーブル。
【請求項７】
前記磁性テープを構成する前記磁性材料は、アモルファス合金である、請求項５又は６に記載のシールドケーブル。
【請求項８】
前記磁性テープを構成する前記磁性材料は、Ｆｅ、Ｓｉ、Ｂ、Ｃｕを含有し、さらにＴｉ、Ｖ、Ｚｒ、Ｎｂ、Ｍｏ、Ｈｆ、Ｔａ、Ｗから選ばれた少なくとも１種の元素を含有する非晶質合金にナノ結晶化の熱処理を施したナノ結晶軟磁性合金である、請求項５又は６に記載のシールドケーブル。
【発明の詳細な説明】
【技術分野】
【０００１】
本発明は、磁性テープ及びシールドケーブルに関する。
【背景技術】
【０００２】
従来、ＥＭＩ（Electro Magnetic Interference：電波障害）の防止を図った高周波減衰ケーブルが提案されている（例えば、特許文献１参照。）。【０００３】
この高周波減衰ケーブルは、導体線の周囲に磁性材料からなる磁性テープを一部重なるように螺旋状に巻き付けたものである。これにより、導体線から放出される電磁波ノイズが磁性テープによって減衰されるとともに、可撓性を確保することができる。磁性テープは、一般に、スリット加工、すなわち大きな幅の長尺状のシートを一定の幅で連続して切断し、ロールやリールに巻き取ることで形成される。
【先行技術文献】
【特許文献】
【０００４】
【特許文献１】特開昭６２−１９０６０９号公報
【発明の概要】
【発明が解決しようとする課題】
【０００５】
しかし、従来の高周波減衰ケーブルによれば、磁性テープはスリット加工時に幅方向の両端面にバリが発生するため、磁性テープを螺旋状に巻き付けたときにバリの先端がテープの表面に接触してテープが浮き上がり、実効透磁率が低下するおそれがある。【０００６】
そこで、本発明の目的は、導体線上に巻き付けたときにテープの浮き上がりが発生し難くなり、これにより実効透磁率の低下を抑制することができる磁性テープ及びシールドケーブルを提供することにある。
【課題を解決するための手段】
【０００７】
本発明は、上記課題を解決することを目的として、磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも裏面に長手方向に沿って有する磁性テープを提供する。【０００８】
また、本発明は、上記課題を解決することを目的として、裏面に樹脂層が形成された磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも裏面に長手方向に沿って有する磁性テープを提供する。【０００９】
前記磁性材料は、アモルファス合金でもよい。また、前記磁性材料は、Ｆｅ、Ｓｉ、Ｂ、Ｃｕを含有し、さらにＴｉ、Ｖ、Ｚｒ、Ｎｂ、Ｍｏ、Ｈｆ、Ｔａ、Ｗから選ばれた少なくとも１種の元素を含有する非晶質合金にナノ結晶化の熱処理を施したナノ結晶軟磁性合金でもよい。【００１０】
本発明は、上記課題を解決することを目的として、導体線の周囲を絶縁体で被覆した絶縁電線と、前記絶縁電線の周囲に磁性テープが巻かれて形成された磁性テープ層とを備え、前記磁性テープは、磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも前記絶縁電線側に向く面に長手方向に沿って有するシールドケーブルを提供する。【００１１】
また、本発明は、上記課題を解決することを目的として、導体線の周囲を絶縁体で被覆した絶縁電線と、前記絶縁電線の周囲に磁性テープが巻かれて形成された磁性テープ層とを備え、前記磁性テープは、前記絶縁電線側の面に樹脂層が形成された磁性材料からなる長尺状のシートを一定の幅で連続して切断して形成される磁性テープであって、前記長尺状のシートの切断の際に幅方向両端面に形成される一対のバリの少なくとも一方のバリを収容する溝を少なくとも前記絶縁電線側に向く面に長手方向に沿って有するシールドケーブルを提供する。【００１２】
前記磁性テープを構成する前記磁性材料は、アモルファス合金でもよい。また、前記磁性テープを構成する前記磁性材料は、Ｆｅ、Ｓｉ、Ｂ、Ｃｕを含有し、さらにＴｉ、Ｖ、Ｚｒ、Ｎｂ、Ｍｏ、Ｈｆ、Ｔａ、Ｗから選ばれた少なくとも１種の元素を含有する非晶質合金にナノ結晶化の熱処理を施したナノ結晶軟磁性合金でもよい。
【発明の効果】
【００１３】
本発明によれば、導体線上に巻き付けたときにテープの浮き上がりが発生し難くなり、これにより実効透磁率の低下を抑制することができる。
【図面の簡単な説明】
【００１４】
【図１】図１は、本発明の第１の実施の形態に係るシールドケーブルの概略の構成を示す斜視図である。
【図２】図２は、図１に示すシールドケーブルの横断面図である。
【図３】図３は、第１の実施の形態に係る磁性テープを樹脂テープ層の周囲に巻き付けた状態を示す部分断面図である。
【図４】図４は、図３に示す磁性テープの横断面図である。
【図５Ａ】図５Ａは、第１の実施の形態に係る磁性テープの製造工程の一例を示す断面図である。
【図５Ｂ】図５Ｂは、第１の実施の形態に係る磁性テープの製造工程の一例を示す断面図である。
【図５Ｃ】図５Ｃは、第１の実施の形態に係る磁性テープの製造工程の一例を示す断面図である。
【図６】図６は、本発明の第２の実施の形態に係る磁性テープを樹脂テープ層の周囲に巻き付けた状態を示す部分断面図である。
【図７】図７は、図６に示す磁性テープの横断面図である。
【発明を実施するための形態】
【００１５】
以下、本発明の実施の形態について図面を参照して説明する。なお、各図中、実質的に同一の機能を有する構成要素については、同一の符号を付してその重複した説明を省略す
る。
【００１６】
［第１の実施の形態］
図１は、本発明の第１の実施の形態に係るシールドケーブルの概略の構成を示す斜視図である。図２は、図１に示すシールドケーブルの横断面図である。なお、図１では、介在物５の図示を省略する。
【００１７】
このシールドケーブル１は、導体線２の周囲を絶縁体３で被覆した複数（本実施の形態では３本）の絶縁電線４と、複数の絶縁電線４の周囲に介在物５を介在させて形成された樹脂テープ層６と、樹脂テープ層６の周囲に設けられた磁性テープ層７と、磁性テープ層７の周囲に設けられた樹脂等からなる絶縁保護層としてのシース８とを備える。
【００１８】
導体線２は、複数本（本実施の形態では７本）の金属細線２ａを撚り合わせて構成されている。絶縁電線４は、例えば１００ＭＨｚ〜１０ＧＨｚの信号、又は搬送周波数１０ＭＨｚ以下で電力を伝送する。なお、導体線２は、単線でもよい。また、絶縁電線４は、本実施の形態では複数本としたが、１本でもよい。また、絶縁電線４は、差動信号を伝送するツイストペア線でもよい。
【００１９】
樹脂テープ層６は、樹脂テープを複数の絶縁電線４の周囲に介在物５を介在させてそれらの周囲にケーブル長手方向に渡って巻き付けることにより形成される。樹脂テープは、例えば、ポリエチレンテレフタレート（ＰＥＴ）、ポリプロピレン系樹脂等の樹脂からなるテープを用いることができる。
【００２０】
磁性テープ層７は、例えば、樹脂テープ層６の周囲に磁性材料から形成された磁性テープ７０を螺旋状にケーブル長手方向に渡って巻き付けることにより形成される。
【００２１】
シース８は、例えば、塩化ビニル樹脂、エチレン−酢酸ビニル重合体、フッ素系樹脂、シリコーン系樹脂等から形成される。
【００２２】
（磁性テープ層の構成）
図３は、磁性テープ７０を樹脂テープ層６の周囲に巻き付けた状態を示す部分断面図である。図４は、図３に示す磁性テープ７０の横断面図である。
【００２３】
磁性テープ７０は、磁性材料からなる長尺状のシートを一定の幅で連続してスリット加工（切断）して形成される。磁性テープ７０は、長尺状のシートの切断の際に幅方向の両端面７３ａ、７３ｂに形成される一対のバリ７５ａ、７５ｂの一方のバリ７５ｂを収容する溝７４を表面７１と反対側の裏面７２に長手方向に沿って有する。溝７４は、磁性テープ７０の幅方向の中央よりも一方の端面７３ａ側に寄った位置、すなわち、磁性テープ７０を樹脂テープ層６の周囲に螺旋状に巻き付けたとき、他方のバリ７５ｂが溝７４に入り込む位置に形成されている。また、磁性テープ７０を樹脂テープ層６の周囲に巻き付けたとき、溝７４によって分離された裏面７２の一方の裏面７２ａは、磁性テープ７０の表面７１に接触し、他の方の裏面７２ｂは、樹脂テープ層６に接触する。螺旋状に巻き付けられた磁性テープ７０同士は面接触するため、電磁波ノイズが漏れ難くなり、実効透磁率の低下を抑制することができる。
【００２４】
磁性テープ７０の磁性材料は、電磁波ノイズを抑制するため、保磁力が小さく透磁率が大きい軟磁性材料からなるものが好ましい。軟磁性材料として、例えば、Ｃｏ基アモルファス合金、Ｆｅ基アモルファス合金等のアモルファス合金や、Ｍｎ−Ｚｎ系フェライト、Ｎｉ−Ｚｎ系フェライト、Ｎｉ−Ｚｎ−Ｃｕ系フェライト等のフェライトや、Ｆｅ−Ｎｉ系合金（パーマロイ）、Ｆｅ−Ｓｉ−Ａｌ系合金（センダスト）、Ｆｅ−Ｓｉ系合金（珪素鋼）等の軟磁性金属、又はＦｅ、Ｓｉ、Ｂ、Ｃｕを含有し、さらにＴｉ、Ｖ、Ｚｒ、Ｎｂ、Ｍｏ、Ｈｆ、Ｔａ、Ｗから選ばれた少なくとも１種の元素を含有する非晶質合金にナノ結晶化の熱処理を施したナノ結晶軟磁性合金粉を用いることができる。これらの軟磁性材料のうち、ナノ結晶軟磁性合金粉は、比透磁率がＣｏ基アモルファス合金と同様に大きく、比透磁率の経時変化が小さいので好ましい。
【００２５】
磁性テープ７０は、例えば厚さ２５μｍ、５０μｍ又は７５μｍ、幅１０〜２０ｍｍのものを用いることができる。溝７４の深さｄは、バリ７５ａ、７５ｂの高さ（例えば１０μｍ程度）ｈを収容するため、バリ７５ａ、７５ｂの平均高さ（例えば、長さ１ｍにつき片側１０箇所計２０箇所をマイクロメータで測定した値の平均値）の１／２倍以上５倍以下が好ましく、４／５倍以上２倍以下がより好ましい。溝７４の幅は、巻き付け精度やケーブルを曲げたときのケーブル長さ方向への磁性テープ７０のズレを考慮して、例えば１ｍｍ以上３ｍｍ以下が好ましい。
【００２６】
（磁性テープの製造工程）
図５Ａ〜図５Ｃは、第１の実施の形態に係る磁性テープ７０の製造工程の一例を示す断面図である。以下、アモルファス合金から形成された磁性テープ７０の製造工程の一例について説明する。
【００２７】
まず、図５Ａに示すように、アモルファス合金化された幅の広い磁性シート７００を溝加工装置１０に通過させ、圧延加工によって溝７４を形成する。溝加工装置１０は、磁性シート７００を押える押えローラ１１と、押えローラ１１に対向する位置に設けられ、溝７４を形成する加工ローラ１２と、押えローラ１１及び加工ローラ１２を一体に回転可能に連結する軸１３と、軸１３を回転させる図示しないモータとを備える。溝７４は、磁性シート７００の表面７００ａ及び裏面７００ｂに幅方向に沿って交互に形成される。なお、溝加工装置は切削加工を行って溝７４を形成するものでもよい。
【００２８】
次に、図５Ｂに示すように、アモルファス化された磁性シート７００をスリット加工装置２０に通過させることにより磁性シート７００よりも幅の狭い磁性テープ７０を形成する。スリット加工装置２０は、磁性シート７００の表面７００ａ側に配置された上カッタ２１ａ、２１ｂと、磁性シート７００の裏面７００ｂ側に配置された下カッタ２２ａ、２２ｂと、上カッタ２１ａ、２１ｂを一体に回転可能に連結する軸２３と、下カッタ２２ａ、２２ｂを一体に回転可能に連結する軸２４と、軸２３及び軸２４を同期させて回転させるモータとを備える。上カッタ２１ａと下カッタ２２ａの間、及び上カッタ２１ｂと下カッタ２２ｂの間のクリアランスは、バリ７５ａ、７５ｂができるだけ小さくなるように調整される。また、幅方向両端面７３ａ、７３ｂに形成されるバリ７５ａ、７５ｂが互いに同じ方向に向くように、各磁性テープ７０に対して上カッタ２１ａ、２１ｂが下カッタ２２ａ、２２ｂに対して内側又は外側に位置するように配置される。
【００２９】
スリット加工装置２０によってスリット加工された磁性テープ７０は、図５Ｃに示すように、両端面７３ａ、７３ｂにバリ７５ａ、７５ｂが形成される。その後、それぞれの磁性テープ７０は、ロール又はリールに巻き取られる。
【００３０】
（第１の実施の形態の作用、効果）
第１の実施の形態によれば、以下の作用、効果を奏する。
（１）磁性テープ７０を樹脂テープ層６の周囲に螺旋状に巻き付けたとき、他方のバリ７５ｂが溝７４に入り込み、磁性テープ７０同士は面接触するため、磁性テープ７０の浮き上がりが発生し難くなり、これにより実効透磁率の低下を抑制することができる。
（２）磁性テープ層７は、絶縁電線４から発生する電磁波ノイズの磁界を吸収して電磁波ノイズの放射を抑制する。
（３）磁性テープ層７は、磁性テープ７０を螺旋状に巻き付けて形成されているため、曲げ特性に優れたシールドケーブルを提供することができる。
【００３１】
［第２の実施の形態］
図６は、本発明の第２の実施の形態に係る磁性テープを樹脂テープ層の周囲に巻き付けた状態を示す部分断面図である。図７は、図６に示す磁性テープの横断面図である。
【００３２】
第１の実施の形態では、裏面７２に樹脂層が形成されていない磁性テープ７０を用いて磁性テープ層７を構成したが、本実施の形態は、磁性テープ７０の裏面７２に樹脂層９１が形成された樹脂層付き磁性テープ９０を用いて樹脂層付き磁性テープ層９を構成したものである。なお、樹脂層付き磁性テープ９０は、磁性テープの一例であり、樹脂層付き磁性テープ層９は、磁性テープ層の一例である。
【００３３】
本実施の形態の樹脂層付き磁性テープ層９は、例えば、樹脂テープ層６の周囲に樹脂層９１が樹脂テープ層６側に向くように樹脂層付き磁性テープ９０を螺旋状にケーブル長手方向に渡って巻き付けることにより形成される。
【００３４】
樹脂層９１は、例えば、ポリエチレンテレフタレート（ＰＥＴ）、ポリプロピレン系樹脂等の樹脂を用いることができる。
【００３５】
樹脂層付き磁性テープ９０は、例えば、両面に樹脂層が形成された磁性材料からなる長尺状のシートを一定の幅で連続してスリット加工（切断）して形成される。樹脂層付き磁性テープ９０は、長尺状のシートの切断の際に幅方向両端面７３ａ、７３ｂに形成される一対のバリ７５ａ、７５ｂの一方のバリ７５ｂを収容する深さｄの溝７４を裏面９０ａに長手方向に沿って有する。溝７４は、樹脂層付き磁性テープ９０の幅方向の中央よりも一方の端面７３ａに寄った位置、すなわち、樹脂層付き磁性テープ９０を樹脂テープ層６の周囲に螺旋状に巻き付けたとき、他方のバリ７５ｂが溝７４に入り込む位置に形成されている。また、樹脂層付き磁性テープ９０を樹脂テープ層６の周囲に巻き付けたとき、溝７４によって分離された裏面７２の一方の裏面７２ａは、樹脂層９１ａを介して磁性テープ７０の表面７１に接触し、他の方の裏面７２ｂは、樹脂層９１ｂを介して樹脂テープ層６に接触する。樹脂層９１は、例えば厚さ５〜１０μｍを有する。螺旋状に巻き付けられた樹脂層付き磁性テープ９０同士は薄い樹脂層９１ａを介して対向するため、電磁波ノイズが漏れ難くなり、実効透磁率の低下を抑制することができる。
【００３６】
（磁性テープの製造工程）
まず、図５Ａに示すように、アモルファス合金化された幅の広い磁性シート７００を溝加工装置１０に通過させ、圧延加工によって溝７４を形成する。
【００３７】
次に、溝７４が形成された磁性シート７００の両面に樹脂層９１を形成する。なお、溝７４を避けて樹脂層９１を形成してもよいし、樹脂層９１を全面に形成した後、溝７４に対応する位置をエッチング等によって除去してもよい。
【００３８】
次に、図５Ｂに示すように、アモルファスとなった磁性シート７００をスリット加工装置２０に通過させることにより磁性シート７００よりも幅の狭い磁性テープ７０を形成する。
【００３９】
スリット加工装置２０によってスリット加工された磁性テープ７０は、溝７４が形成されていない側の樹脂層を剥離した後、図５Ｃに示すように、両端面７３ａ、７３ｂにバリ７５ａ、７５ｂが形成される。その後、それぞれの磁性テープ７０は、ロール又はリールに巻き取られる。
【００４０】
（第２の実施の形態の作用、効果）
第２の実施の形態によれば、以下の作用、効果を奏する。
（１）樹脂層付き磁性テープ９０を樹脂テープ層６の周囲に螺旋状に巻き付けたとき、他方のバリ７５ｂが溝７４に入り込み、樹脂層付き磁性テープ９０同士は、面接触するため、樹脂層付き磁性テープ９０の浮き上がりが発生し難くなり、これにより実効透磁率の低下を抑制することができる。
（２）樹脂層付き磁性テープ層９は、絶縁電線４から発生する電磁波ノイズの磁界を吸収して電磁波ノイズを放射を抑制する。
（３）樹脂層付き磁性テープ層９は、樹脂層付き磁性テープ９０を螺旋状に巻き付けて形成されているため、曲げ特性に優れたシールドケーブルを提供することができる。
（４）スリット加工時に磁性シートの両面に樹脂層を形成しているので、バリの発生を抑制することができる。
【００４１】
なお、本発明の実施の形態は、上記実施の形態に限定されず、種々な実施の形態が可能である。例えば、第１及び第２の実施の形態では、磁性テープ７０の幅方向両端面に発生するバリ７５ａ、７５ｂを磁性テープ７０の表面７１側に形成する場合について説明したが、一方のバリ７５ａを裏面７２側に形成し、他方のバリ７５ｂを表面７１側に形成するようにスリット加工を行ってもよい。この場合、溝７４をバリ７５ａに対応する表面７１の位置に形成すればよい。
【００４２】
また、磁性テープ７０の磁性材料として、キュリー温度をＴｃ、結晶化温度をＴｘとするとき、Ｔｘ＞Ｔｃを満足するアモルファス合金薄帯をＴｃ〜Ｔｃ＋５０℃の温度範囲で熱処理し、該アモルファス合金薄帯に樹脂層を形成することを特徴とする加工用複合磁性薄帯を用いてもよい（特許第３５１２１０９号公報参照）。
【００４３】
磁性テープ７０の磁性材料として、合金組成がＦｅ１００−ａ−ｂ−ｃ−ｄＭａＳｉｂＢｃＣｄ（原子％）で表され、前記ＭはＴｉ、Ｖ、Ｚｒ、Ｎｂ、Ｍｏ、Ｈｆ、Ｔａ、Ｗから選ばれた少なくとも１種の元素であり、０＜ａ≦１０、８≦ｂ≦１７、５≦ｃ≦１０、０．０２≦ｄ≦０．８、１３＜ａ＋ｂ＋ｃ＋ｄ≦３５および不可避不純物からなり、Ｆｅの０．５原子％以上、２原子％以下をＣｕで置換した非晶質合金薄帯であり、前記非晶質合金薄帯の表面から深さ方向に元素濃度をＧＤ-ＯＥＳで測定したとき、ＳｉＯ２換算で前記非晶質合金薄帯の表面から２〜２０ｎｍの深さの範囲内にＣ濃度のピークが存在することを特徴とする非晶質合金薄帯を用いてもよい（特許第５１８２６０１号公報参照）。
【００４４】
また、磁性テープ７０の他の磁性材料として、合金組成がＦｅ１００−ａ−ｂ−ｃ−ｄＭａＳｉｂＢｃＣｕｄ（原子％）で表され、０≦ａ≦１０、０≦ｂ≦２０、４≦ｃ≦２０、０．１≦ｄ≦３、９≦ａ＋ｂ＋ｃ≦３５および不可避不純物からなる非晶質合金薄帯であり、ここでＭはＴｉ、Ｖ、Ｚｒ、Ｎｂ、Ｍｏ、Ｈｆ、Ｔａ、Ｗから選ばれた少なくとも１種の元素であり、前記非晶質合金薄帯の表面側に最表面部よりも高い濃度でＣｕが偏析しているＣｕ偏析部が存在し、そのＣｕ偏析部でのＣｕ濃度の最大値が４原子％以下であることを特徴とする非晶質合金薄帯を用いてもよい（特許第５３３９１９２号公報参照）。
【００４５】
上記各実施の形態では、磁性テープを螺旋状に巻いて磁性テープ層を形成したが、螺旋状に限られず、例えば磁性テープを編組にして磁性テープ層を形成してもよい。
【００４６】
また、磁性テープ層７の内側又は外側に導電性材料からなるシールド線によるシールド層を設けてもよい。これにより、磁性テープ層７は、絶縁電線４から発生する電磁波ノイズの磁界を吸収して主として低周波帯域の電磁波ノイズを遮蔽する。また、導電性材料からなるシールド層は、絶縁電線４から発生する電磁波ノイズの電界を吸収して主として高周波帯域の電磁波ノイズを遮蔽する。このため、広い周波帯域のノイズ遮蔽に適した信頼性の高いシールドケーブルを提供することができる。
【００４７】
また、本発明の要旨を変更しない範囲内で、上記実施の形態の構成要素の一部を省くことや変更することが可能である。例えば、複数の絶縁電線４の周囲に樹脂テープを巻き付ける上で支障がなければ、介在物５を省いてもよい。
【産業上の利用可能性】
【００４８】
本発明は、モータとインバータを接続する３芯電源ケーブル等の電源ケーブルや、差動信号を伝送する差動用ケーブル等の信号伝送ケーブルに好適である。
【符号の説明】
【００４９】
１…シールドケーブル、２…導体線、２ａ…金属細線、３…絶縁体、４…絶縁電線、５…介在物、６…樹脂テープ層、７…磁性テープ層、８…シース、９…樹脂層付き磁性テープ層、１０…溝加工装置、１１…押えローラ、１２…加工ローラ、１３…軸、２０…スリット加工装置、２１ａ、２１ｂ…上カッタ、２２ａ、２２ｂ…下カッタ、２３、２４…軸、７０…磁性テープ、７１…表面、７２、７２ａ、７２ｂ…裏面、７３ａ、７３ｂ…端面、７４…溝、７５ａ、７５ｂ…バリ、９０…樹脂層付き磁性テープ、９０ａ…裏面、９１、９１ａ、９１ｂ…樹脂層、７００…磁性シート、７００ａ…表面、７００ｂ…裏面
【図１】
2015129001.tif 000003
【図２】
2015129001.tif 000004
【図３】
2015129001.tif 000005
【図４】
2015129001.tif 000006
【図５Ａ】
2015129001.tif 000007
【図５Ｂ】
2015129001.tif 000008
【図５Ｃ】
2015129001.tif 000009
【図６】
2015129001.tif 000010
【図７】
2015129001.tif 000011
【国際調査報告】
2015129001.tif 000012
2015129001.tif 000013
2015129001.tif 000014
2015129001.tif 000015